(57)【特許請求の範囲】
【請求項１】
浴室の床面近傍に設けられる浴室乾燥機であって、
浴室における洗い場に設けられたカウンターの下方に配置されるハウジングと、
前記ハウジングの一面に設けられ、浴室の空気を吸い込む吸込口と、
前記ハウジングの一面に設けられ、前記吸込口から吸い込んだ空気を浴室に吹き出す吹出口と、
前記ハウジングの内部に設けられ、前記吸込口と前記吹出口とを繋ぐ内部風路と、
前記内部風路に設けられ、前記吸込口から前記吹出口に至る空気の流れを形成する送風機と、を備え、
少なくとも前記送風機が設けられた前記内部風路の部分に、水が侵入しないように阻止する水侵入阻止手段を設け、
前記水侵入阻止手段は、前記吹出口に繋がる前記内部風路の第一領域に、前記吹出口から侵入した水を前記ハウジングの外に排出するように傾斜した排水傾斜部と、前記排水傾斜部の前記吹出口近傍に第一水返し突起と、前記排水傾斜部の前記第一水返し突起が配置された位置よりも上流側に第二水返し突起と、を有し、
前記内部風路壁面からの突出量は、前記第一水返し突起の突出量が前記第二水返し突起の突出量よりも少なくなるように形成されていることを特徴とする浴室乾燥機。
【請求項２】
前記第一水返し突起の端部に、前記排水傾斜部を流れる水を通すために前記内部風路壁面からの突出量を部分的に抑制した排水流路を設けたことを特徴とする請求項１に記載の浴室乾燥機。
【請求項３】
前記吹出口から侵入した水を前記ハウジングの外部に排出するための外部排出流路を設け、前記排水流路を流れる水が流入可能なように構成したことを特徴とする請求項２に記載の浴室乾燥機。
【請求項４】
前記吹出口近傍の前記内部風路には、前記吹出口から浴室に吹き出す空気を方向付けるルーバーと、前記ルーバーの方向を調整するルーバー調整モーターとが設けられており、
前記水侵入阻止手段は、前記ルーバー調整モーターが設けられた前記内部風路の第二領域に水が侵入しないように、前記ルーバー調整モーターを前記吹出口よりも高い位置に配置することを特徴とする請求項１に記載の浴室乾燥機。
【請求項５】
前記ルーバーの傾きは、暖房運転時又は涼風運転時において、前記吹出口から上方に向かうように構成されていることを特徴とする請求項４に記載の浴室乾燥機。
【発明の詳細な説明】
【技術分野】
【０００１】
本発明は、浴室乾燥機に関する。
【背景技術】
【０００２】
このような浴室乾燥機として、浴室の空気を吸引してヒーターを経由させて浴室方向に空気を噴出する循環モードと、浴室の空気を吸引して浴室外へと排出する換気モードとを実行可能なように、換気口と循環吹出口とをダンパで切り替えるものが知られている。その中で、１つの送風機を備え、その１つの送風機によって浴室以外の第二室からの換気を浴室内の換気と同時に行うものが知られている（例えば、下記特許文献１参照）。
【先行技術文献】
【特許文献】
【０００３】
【特許文献１】特開平１１−３０４３５７号公報
【発明の概要】
【発明が解決しようとする課題】
【０００４】
従来の浴室乾燥機は、浴室に設けられていた換気扇の代わりに設けられるものであるから、浴室の天井に取り付けられていた。しかしながら、浴室の床面から全体を効果的に乾燥可能なように乾燥機能を発揮させようとすると、浴室乾燥機の配置位置は浴室の天井が必ずしも最善の位置ではなく、より好ましい配置位置を検討する必要がある。更に、浴室乾燥機を天井ではなくより下方に配置した場合には、浴室内を飛散する水から悪影響を受けないように工夫する必要がある。
【０００５】
本発明はこのような課題に鑑みてなされたものであり、その目的は、浴室の床面から全体を効果的に乾燥可能な浴室乾燥機であって、浴室内を飛散する水から受ける影響に配慮しつつ洗い場のスペースを無駄にしないように配置可能な浴室乾燥機を提供することにある。
【課題を解決するための手段】
【０００６】
上記課題を解決するために本発明に係る浴室乾燥機は、浴室の床面近傍に設けられる浴室乾燥機であって、浴室における洗い場に設けられたカウンターの下方に配置されるハウジングと、前記ハウジングの一面に設けられ、浴室の空気を吸い込む吸込口と、前記ハウジングの一面に設けられ、前記吸込口から吸い込んだ空気を浴室に吹き出す吹出口と、前記ハウジングの内部に設けられ、前記吸込口と前記吹出口とを繋ぐ内部風路と、前記内部風路に設けられ、前記吸込口から前記吹出口に至る空気の流れを形成する送風機と、を備え、少なくとも前記送風機が設けられた前記内部風路の部分に、水が侵入しないように阻止する水侵入阻止手段を設けてなる。
【０００７】
本発明によれば、浴室の洗い場床面近傍にハウジングが配置されるので、吹出口を洗い場の床面近傍に設けることができ、洗い場床面に空気を吹きつけて乾燥することができる。更に、本発明に係る浴室乾燥機は、少なくとも送風機が設けられた内部風路の部分に、水が侵入しないように阻止する水侵入阻止手段を設けているので、洗い場の下方といった浴室内を飛散する水が入り込みやすい環境であっても、送風機に水がかかることを防止することができる。従って、浴室内を飛散する水から受ける影響に配慮しつつ洗い場のスペースを無駄にしないように配置可能な浴室乾燥機を提供することができる。
【０００８】
また本発明に係る浴室乾燥機では、前記水侵入阻止手段は、前記吹出口に繋がる前記内部風路の第一領域に、前記吹出口から侵入した水を前記ハウジングの外に排出するように傾斜した排水傾斜部を有することも好ましい。
【０００９】
この好ましい態様では、吹出口に繋がる内部風路の第一領域に排水傾斜部を有するので、吹出口から水が侵入しても送風機が配置されている場所に至る前に確実にハウジングの外に排出することができる。
【００１０】
また本発明に係る浴室乾燥機では、前記水侵入阻止手段は、前記排水傾斜部の前記吹出口近傍に第一水返し突起を有することも好ましい。
【００１１】
この好ましい態様では、排水傾斜部の吹出口近傍に第一水返し突起を有するので、吹出口から水が侵入しても第一水返し突起によってそれ以上の侵入を抑制することができる。
【００１２】
また本発明に係る浴室乾燥機では、前記水侵入阻止手段は、前記排水傾斜部の前記第一水返し突起が配置された位置よりも上流側に第二水返し突起を有することも好ましい。
【００１３】
この好ましい態様では、第一水返し突起が配置された位置よりも上流側に第二水返し突起を有するので、吹出口から侵入した水が第一水返し突起を乗り越えたとしても、第二水返し突起によってそれ以上の侵入を抑制することができる。
【００１４】
また本発明に係る浴室乾燥機では、前記内部風路壁面からの突出量は、前記第一水返し突起の突出量が前記第二水返し突起の突出量よりも少なくなるように形成されていることも好ましい。
【００１５】
この好ましい態様では、より吹出口に近い第一水返し突起の突出量を抑制しているので、吹出口から吹き出す空気への影響を低減することができる。また、第一水返し突起の突出量を抑制する一方で、第二水返し突起の突出量は抑制していないので、吹出口から侵入した水を阻止する機能は十分に確保することができる。
【００１６】
また本発明に係る浴室乾燥機では、前記第一水返し突起の端部に、前記排水傾斜部を流れる水を通すために前記内部風路壁面からの突出量を部分的に抑制した排水流路を設けることも好ましい。
【００１７】
この好ましい態様では、より吹出口に近い第一水返し突起の端部の突出量を抑制し、排水流路を設けているので、吹出口から侵入した水が一時的に第一水返し突起を超えてしまったとしても、排水流路から排出することができる。
【００１８】
また本発明に係る浴室乾燥機では、前記吹出口から侵入した水を前記ハウジングの外部に排出するための外部排出流路を設け、前記排水流路を流れる水が流入可能なように構成したことも好ましい。
【００１９】
この好ましい態様では、第一水返し突起を乗り越えた水を排水流路から外部排出流路を経由して、確実にハウジングの外部へと排出することができる。
【００２０】
また本発明に係る浴室乾燥機では、前記吹出口近傍の前記内部風路には、前記吹出口から浴室に吹き出す空気を方向付けるルーバーと、前記ルーバーの方向を調整するルーバー調整モーターとが設けられており、前記水侵入阻止手段は、前記ルーバー調整モーターが設けられた前記内部風路の第二領域に水が侵入しないように、前記ルーバー調整モーターを前記吹出口よりも高い位置に配置することも好ましい。
【００２１】
この好ましい態様では、ルーバー調整モーターを吹出口よりも高い位置に配置しているので、吹出口から水が入ってきたとしてもルーバー調整モーターが配置されている第二領域への水の侵入を確実に防止できる。
【００２２】
また本発明に係る浴室乾燥機では、前記ルーバーの傾きは、暖房運転時又は涼風運転時において、前記吹出口から上方に向かうように構成されていることも好ましい。
【００２３】
この好ましい態様では、水が浴室内を飛散しやすいと想定される使用時に対応する暖房運転時又は涼風運転時において、ルーバーの傾きを上方に向かうように調整するので、吹出口よりも高い位置に配置されたルーバー調整モーター側への水の入り込みをより確実に防止できる。
【発明の効果】
【００２４】
本発明によれば、浴室内を飛散する水から受ける影響に配慮しつつ洗い場のスペースを無駄にしないように配置可能な浴室乾燥機を提供することができる。
【図面の簡単な説明】
【００２５】
【図１】本発明の実施形態に係る浴室乾燥機を浴室内に配置した状態を示す斜視図である。
【図２】図１に示す浴室乾燥機の拡大斜視図である。
【図３】図１に示す浴室乾燥機の内部構成を示す概略構成図である。
【図４】図１に示す浴室乾燥機の内部構成を示す透過斜視図である。
【図５】図３に示す洋室乾燥機のルーバーを駆動した状態を示す図である。
【発明を実施するための形態】
【００２６】
以下、添付図面を参照しながら本発明の実施の形態について説明する。説明の理解を容易にするため、各図面において同一の構成要素に対しては可能な限り同一の符号を付して、重複する説明は省略する。
【００２７】
本発明の実施形態である浴室乾燥機について、図１及び図２を参照しながら説明する。図１は、本発明の実施形態に係る浴室乾燥機を浴室内に配置した状態を示す斜視図である。図２は、図１に示す浴室乾燥機の拡大斜視図である。図１及び図２に示すように、浴室乾燥機ＤＵは、浴室ＢＲに配置されている。浴室ＢＲには浴槽ＢＴが配置されており、浴室乾燥機ＤＵは浴槽ＢＴが配置されていない領域、すなわち洗い場領域に配置されている。
【００２８】
浴室乾燥機ＤＵは、洗い場領域のカウンターＣＴの下方に配置されている。浴室乾燥機ＤＵには、吸込口ＤＵａと吹出口ＤＵｂとが設けられている。吸込口ＤＵａは下方に、吹出口ＤＵｂは上方に、それぞれ設けられている。浴室乾燥機ＤＵは、吸込口ＤＵａから吸い込んだ浴室ＢＲ内の空気を昇温したり乾燥したりして、吹出口ＤＵｂから浴室ＢＲ内へ吹き出す。吸込口ＤＵａ及び吹出口ＤＵｂは、浴室乾燥機ＤＵのハウジングＤＵｈの前面パネルＤＵｈａに設けられている。
【００２９】
続いて、図３を参照しながら浴室乾燥機ＤＵの構成について説明する。図３は、図１及び図２に示す浴室乾燥機ＤＵの内部構成を示す概略構成図である。図３に示すように、浴室乾燥機ＤＵは、ハウジングＤＵｈの内部に、内部風路１０と、送風機２０と、ヒーター３０とを備えている。
【００３０】
内部風路１０は、吸込口ＤＵａ側から順に、第一内部風路１０１、第二内部風路１０２、第三内部風路１０３と繋がり、吹出口ＤＵｂに至っている。
【００３１】
第一内部風路１０１は、水平方向に延びつつ、吸込口ＤＵａから緩やかに上昇するようにその底面１０１ａが形成されている。第一内部風路１０１の最奥部には第二内部風路１０２が繋がっている。第二内部風路１０２は、鉛直方向に延びるように形成されている。第一内部風路１０１の最奥部には、水返し凹部１０１ｂが形成されている。従って、吸込口ＤＵａから水が入り込んでも、水返し凹部１０１ｂによって返され、前方に傾斜する底面１０１ａによってハウジングＤＵｈの外部に排出されるように構成されている。
【００３２】
第二内部風路１０２には、送風機２０及びヒーター３０が配置されている。送風機２０の駆動によって内部風路１０内に空気の流れができる。ヒーター３０は、内部風路１０内を流れる空気を加温するためのヒーターである。
【００３３】
第二内部風路１０２の上端には第三内部風路１０３が繋がっている。第三内部風路１０３は、最奥部から吹出口ＤＵｂに向かって水平方向に延びつつ、吹出口ＤＵｂに向かって緩やかに下降するようにその底面１０３ａが傾斜し、排水傾斜部（水侵入阻止手段）が形成されている。
【００３４】
排水傾斜部（水侵入阻止手段）である底面１０３ａの吹出口ＤＵｂ近傍には、第一水返し突起１０３ｃが形成されている。更に、底面１０３ａには、第一水返し突起１０３ｃよりも上流側（奥側）である最奥部に、第二水返し突起１０３ｂが形成されている。内部風路壁面である底面１０３ａからの突出量は、第一水返し突起１０３ｃよりも第二水返し突起１０３ｂが多くなるように形成されている。
【００３５】
図４に示すように、第一水返し突起１０３ｃの端部には、排水傾斜部である底面１０３ａを流れる水が通る排水流路１０３ｃａが形成されている。この排水流路１０３ｃａを通る水が円滑に外部に排出されるように、第三内部風路１０３から第一内部風路１０１に向かうように設けられた溝状の外部排出流路１０４が形成されている。
【００３６】
図３に戻って説明を続ける。吹出口ＤＵｂから吹き出される空気の方向づけをするために、ルーバー２４が設けられている。このルーバー２４の方向を変化させるために、ルーバー調整モーター２２が設けられている。
【００３７】
吹出口ＤＵｂから入り込む水がかからないように、ルーバー調整モーター２２は吹出口ＤＵｂよりも高い位置に配置されている。また、図５に示すように、ルーバー２４の傾きは、暖房運転時又は涼風運転時において、吹出口ＤＵｂから上方に向かうように調整される。
【００３８】
上述したように本実施形態に係る浴室乾燥機は、浴室ＢＲの床面近傍に設けられる浴室乾燥機であって、浴室ＢＲにおける洗い場に設けられたカウンターＣＴの下方に配置されるハウジングＤＵｈと、ハウジングＤＵｈの一面である前面ＤＵｈａに設けられ、浴室ＢＲの空気を吸い込む吸込口ＤＵａと、ハウジングＤＵｈの一面である前面ＤＵｈａに設けられ、吸込口ＤＵａから吸い込んだ空気を浴室ＢＲに吹き出す吹出口ＤＵｂと、ハウジングＤＵｈの内部に設けられ、吸込口ＤＵａと吹出口ＤＵｂとを繋ぐ内部風路１０と、内部風路１０に設けられ、吸込口ＤＵａから吹出口ＤＵｂに至る空気の流れを形成する送風機２０と、を備え、少なくとも送風機２０が設けられた内部風路１０の部分である第二内部風路１０２に、水が侵入しないように阻止する水侵入阻止手段を設けている。
【００３９】
本実施形態では、浴室ＢＲの洗い場床面近傍にハウジングＤＵｈが配置されるので、吹出口ＤＵｂを洗い場の床面近傍に設けることができ、洗い場床面に空気を吹きつけて乾燥することができる。更に、少なくとも送風機２０が設けられた内部風路１０の部分に、水が侵入しないように阻止する水侵入阻止手段を設けているので、洗い場の下方といった浴室内を飛散する水が入り込みやすい環境であっても、送風機２０に水がかかることを防止することができる。従って、浴室内を飛散する水から受ける影響に配慮しつつ洗い場のスペースを無駄にしないように配置可能な浴室乾燥機を提供することができる。
【００４０】
また、水侵入阻止手段としては、吹出口ＤＵｂに繋がる内部風路１０の第一領域ＡＲａである第三内部風路１０３に、吹出口ＤＵｂから侵入した水をハウジングＤＵｈの外に排出するように傾斜した排水傾斜部である底面１０３ａが設けられている。第一領域ＡＲａは、図３に示すように、第三内部風路１０３の特に底面１０３ａを含む領域である。また、第二領域ＡＲｂは、第三内部風路１０３の特に吹出口ＤＵｂよりも上方の領域である。
【００４１】
このように、吹出口ＤＵｂに繋がる内部風路１０の第一領域ＡＲａである第三内部風路１０３に排水傾斜部である底面１０３ａを有するので、吹出口ＤＵｂから水が侵入しても送風機２０が配置されている場所に至る前に確実にハウジングＤＵｈの外に排出することができる。
【００４２】
また、水侵入阻止手段としては、排水傾斜部である底面１０３ａの吹出口ＤＵｂ近傍に第一水返し突起１０３ｃも形成されている。
【００４３】
このように、排水傾斜部である底面１０３ａの吹出口ＤＵｂ近傍に第一水返し突起１０３ｃを有するので、吹出口ＤＵｂから水が侵入しても第一水返し突起１０３ｃによってそれ以上の侵入を抑制することができる。
【００４４】
また、水侵入阻止手段としては、排水傾斜部の第一水返し突起１０３ｃが配置された位置よりも上流側に第二水返し突起１０３ｂが形成されている。
【００４５】
このように、第一水返し突起１０３ｃが配置された位置よりも上流側に第二水返し突起１０３ｂを有するので、吹出口ＤＵｂから侵入した水が第一水返し突起１０３ｃを乗り越えたとしても、第二水返し突起１０３ｂによってそれ以上の侵入を抑制することができる。
【００４６】
また、内部風路壁面である底面１０３ａからの突出量は、第一水返し突起１０３ｃの突出量が第二水返し突起１０３ｂの突出量よりも少なくなるように形成されている。
【００４７】
このように、より吹出口ＤＵｂに近い第一水返し突起１０３ｃの突出量を抑制しているので、吹出口ＤＵｂから吹き出す空気への影響を低減することができる。また、第一水返し突起１０３ｃの突出量は抑制する一方で、第二水返し突起１０３ｂの突出量は抑制していないので、吹出口ＤＵｂから侵入した水を阻止する機能は十分に確保することができる。
【００４８】
また、第一水返し突起１０３ｃの端部に、排水傾斜部である底面１０３ａを流れる水を通すために内部風路壁面である底面１０３ａからの突出量を部分的に抑制した排水流路１０３ｃａを設けている。
【００４９】
このように、より吹出口ＤＵｂに近い第一水返し突起１０３ｃの端部の突出量を抑制し、排水流路１０３ｃａを設けているので、吹出口ＤＵｂから侵入した水が一時的に第一水返し突起１０３ｃを超えてしまったとしても、排水流路１０３ｃａから排出することができる。
【００５０】
また、吹出口ＤＵｂから侵入した水をハウジングＤＵｈの外部に排出するための外部排出流路１０４を設け、排水流路１０３ｃａを流れる水が流入可能なように構成している。
【００５１】
このように、第一水返し突起１０３ｃを乗り越えた水を排水流路１０３ｃａから外部排出流路１０４を経由して、確実にハウジングＤＵｈの外部へと排出することができる。
【００５２】
また、吹出口ＤＵｂ近傍の内部風路１０には、吹出口ＤＵｂから浴室ＢＲに吹き出す空気を方向付けるルーバー２４と、ルーバー２４の方向を調整するルーバー調整モーター２２とが設けられており、水侵入阻止手段として、ルーバー調整モーター２２が設けられた内部風路１０の第二領域ＡＲｂに水が侵入しないように、ルーバー調整モーター２２を吹出口ＤＵｂよりも高い位置に配置する。
【００５３】
このように、ルーバー調整モーター２２を吹出口ＤＵｂよも高い位置に配置しているので、吹出口ＤＵｂから水が入ってきたとしてもルーバー調整モーター２２が配置されている第二領域ＡＲｂへの水の侵入を確実に防止できる。
【００５４】
また、ルーバー２４の傾きは、暖房運転時又は涼風運転時において、吹出口ＤＵｂから上方に向かうように構成されている（図５参照）。
【００５５】
このように、水が浴室内を飛散しやすいと想定される使用時に対応する暖房運転時又は涼風運転時において、ルーバー２４の傾きを上方に向かうように調整するので、吹出口ＤＵｂよりも高い位置に配置されたルーバー調整モーター２２側への水の入り込みをより確実に防止できる。
【符号の説明】
【００５６】
１０  内部風路
２０  送風機
２２  ルーバー調整モーター
２４  ルーバー
３０  ヒーター
１０１      第一内部風路
１０１ａ    底面
１０１ｂ    凹部
１０２      第二内部風路
１０３      第三内部風路
１０３ａ    底面
１０３ｂ    第二水返し突起
１０３ｃ    第一水返し突起
１０３ｃａ  排水流路
１０４      外部排出流路
ＢＲ  浴室
ＢＴ  浴槽
ＣＴ  カウンター
ＤＵ  浴室乾燥機
ＤＵａ      吸込口
ＤＵｂ      吹出口
ＤＵｈ      ハウジング
ＤＵｈａ    前面
ＡＲａ  第一領域
ＡＲｂ  第二領域
【図１】
0005773266.tif 000002
【図２】
0005773266.tif 000003
【図３】
0005773266.tif 000004
【図４】
0005773266.tif 000005
【図５】
0005773266.tif 000006